(57)【要約】【課題】薄型でありながら大きなインダクタンスを得ることができる巻線型コイル部品を実現する。【解決手段】板状コア34と一対の導線14，16を有し、上記板状コア34を、貫通孔36ａ，36ｂ，36ｃが形成された３個のコア部材32ａ，32ｂ，32ｃを連結して構成すると共に、複数の上記貫通孔36ａ，36ｂ，36ｃを挟んで平行配置された第１の巻線部37、第２の巻線部38、第３の巻線部39、第４の巻線部40を形成して成り、上記導線14，16を、複数の上記貫通孔36ａ，36ｂ，36ｃに通すことにより、隣り合う巻線部（第１の巻線部37と第２の巻線部38、第２の巻線部38と第３の巻線部39、第３の巻線部39と第４の巻線部40）の表面及び裏面を交互に沿うように巻き付けた。【選択図】図１
2009259902.tif 000002
【特許請求の範囲】
【請求項１】
板状コアと導線を有する巻線型コイル部品であって、上記板状コアを、貫通孔が形成されたコア部材を複数個連結して構成すると共に、複数の上記貫通孔を挟んで平行配置された複数の巻線部を形成して成り、上記導線を、複数の上記貫通孔に通すことにより、隣り合う巻線部の表面及び裏面を交互に沿うように巻き付けたことを特徴とする巻線型コイル部品。
【請求項２】
板状コアと導線を有する巻線型コイル部品であって、上記板状コアに複数の貫通孔を形成すると共に、複数の上記貫通孔を挟んで平行配置された複数の巻線部を形成して成り、上記導線を、複数の上記貫通孔に通すことにより、隣り合う巻線部の表面及び裏面を交互に沿うように巻き付けたことを特徴とする巻線型コイル部品。
【発明の詳細な説明】
【技術分野】
【０００１】
この発明は、コアの巻線部に導線を巻き付けて成る巻線型コイル部品に係り、特に、薄型化が容易な巻線型コイル部品に関する。
【背景技術】
【０００２】
図９及び図１０は、従来の巻線型コイル部品を示すものであり、この巻線型コイル部品60は、フェライト等の磁性材料より成るリング状のコア本体（図示せず）を、樹脂等の絶縁材料より成り、中央に貫通孔61を有するリング状のコアキャップ62で被覆してコア63を構成すると共に、該コア63の巻線部65の外周面に、銅等の導電材より成る一対の導線64，66を巻回して成る。
上記コアキャップ62は、上記貫通孔61を２つの領域に等分して区画する絶縁板68と、該絶縁板68の両端に位置する上記コアキャップ62の表面及び裏面に形成され、コアキャップ62を２つの領域に等分して区画する突状部70を有している。一方の導線64は一方の領域に配置され、他方の導線66は他方の領域に配置されており、上記絶縁板68及び突状部70によって、導線64，66間の絶縁性が確保されている。
【発明の開示】
【発明が解決しようとする課題】
【０００３】
上記従来の巻線型コイル部品60にあっては、リング状コア63の巻線部65の外周面に導線64，66を３６０度のターンで巻回している。このため、大きなインダクタンスを必要とする場合において、導線64，66を二重、三重に積層巻回して巻回数が増加すると、導線64，66が上下方向に大きく膨出し、薄型化することが困難であった。
【０００４】
本発明は、従来の上記問題点に鑑みて案出されたものであり、その目的とするところは、薄型でありながら大きなインダクタンスを得ることができる巻線型コイル部品を実現することにある。
【課題を解決するための手段】
【０００５】
上記の目的を達成するために、本発明に係る第１の巻線型コイル部品は、板状コアと導線を有する巻線型コイル部品であって、上記板状コアを、貫通孔が形成されたコア部材を複数個連結して構成すると共に、複数の上記貫通孔を挟んで平行配置された複数の巻線部を形成して成り、上記導線を、複数の上記貫通孔に通すことにより、隣り合う巻線部の表面及び裏面を交互に沿うように巻き付けたことを特徴とする。
【０００６】
また、本発明に係る第２の巻線型コイル部品は、板状コアと導線を有する巻線型コイル部品であって、上記板状コアに複数の貫通孔を形成すると共に、複数の上記貫通孔を挟んで平行配置された複数の巻線部を形成して成り、上記導線を、複数の上記貫通孔に通すことにより、隣り合う巻線部の表面及び裏面を交互に沿うように巻き付けたことを特徴とする。
【発明の効果】
【０００７】
本発明に係る第１の巻線型コイル部品にあっては、貫通孔が形成された複数のコア部材を連結して構成した板状コアに、複数の上記貫通孔を挟んで平行配置された複数の巻線部を形成すると共に、導線を、複数の上記貫通孔に通すことにより、隣り合う巻線部の表面及び裏面を交互に沿うよう巻き付けて構成したので、従来の巻線型コイル部品60の如く導線を３６０度のターンで巻回する必要がなく、薄型の巻線型コイル部品を実現することができる。
【０００８】
しかも、第１の巻線型コイル部品は、貫通孔が形成された複数のコア部材を連結して板状コアを構成するようにしたので、連結するコア部材の数を増やすことにより、薄型でありながら大きなインダクタンスを得ることができる。
【０００９】
また、本発明に係る第２の巻線型コイル部品にあっては、複数の貫通孔が形成された板状コアに、複数の上記貫通孔を挟んで平行配置された複数の巻線部を形成すると共に、導線を、複数の上記貫通孔に通すことにより、隣り合う巻線部の表面及び裏面を交互に沿うよう巻き付けて構成したので、従来の巻線型コイル部品60の如く導線を３６０度のターンで巻回する必要がなく、薄型の巻線型コイル部品を実現することができる。
【００１０】
しかも、第２の巻線型コイル部品は、板状コアに形成する貫通孔の数を増やすことにより、貫通孔を挟んで形成される巻線部の数も増やすことができるため、薄型でありながら大きなインダクタンスを得ることができる。
【発明を実施するための最良の形態】
【００１１】
以下において、本発明に係る第１の巻線型コイル部品30を図１乃至図５に基づいて説明する。
第１の巻線型コイル部品30は、フェライト等の磁性材料より成る長方形の厚さ数mm程度の薄い３個のコア部材32ａ，32ｂ，32ｃを、その長辺同士を連結することにより構成した板状コア34と、一対の導線14，16を有している。
各コア部材32ａ（図４及び図５参照），32ｂ，32ｃには、略長方形の貫通孔36ａ，36ｂ，36ｃがそれぞれ形成されており、図１及び図３に示されるように、左側に配置されたコア部材32ａから右側に配置されたコア部材32ｃに向かって、平行配置された複数の上記貫通孔36ａ，36ｂ，36ｃを挟んで第１の巻線部37、第２の巻線部38、第３の巻線部39、第４の巻線部40が平行配置されている。
【００１２】
また、上記導線14，16は、可撓性を有しており、銅線24の表面にポリエステル、ポリウレタン等の高分子絶縁材料より成る絶縁被膜25を形成して構成され、導線14，16の両端は、上記絶縁被膜25を剥離して銅線24を露出させている。
【００１３】
図１及び図２に示すように、一対の導線14，16は、先ず、第１の巻線部37の表面を沿った後、貫通孔36ａを通って第２の巻線部38の裏面を沿い、次に、貫通孔36ｂを通って第３の巻線部39の表面を沿った後、貫通孔36ｃを通って第４の巻線部40の裏面を沿い、その後、折り返されて第４の巻線部40の表面を沿った後、貫通孔36ｃを通って第３の巻線部39の裏面を沿い、次に、貫通孔36ｂを通って第２の巻線部38の表面を沿った後、貫通孔36ａを通って第１の巻線部37の裏面を沿い、その後、折り返されて、再び第１の巻線部37の表面を沿うように巻き付けられている。以降、斯かる巻き付け方法を所定回数繰り返して第１の巻線型コイル部品30が完成する。
要するに、上記導線14，16は、複数の上記貫通孔36ａ，36ｂ，36ｃを通すことにより、隣り合う巻線部（第１の巻線部37と第２の巻線部38、第２の巻線部38と第３の巻線部39、第３の巻線部39と第４の巻線部40）の表面及び裏面を交互に沿うように巻き付けられているものである。
【００１４】
図１乃至図３においては、３個のコア部材32ａ，32ｂ，32ｃを連結して板状コア34を構成した場合を例示したが、これに限定されるものではなく、２個以上のコア部材を連結して板状コア34を構成すれば良い。
【００１５】
而して、本発明に係る第１の巻線型コイル部品30は、貫通孔36ａ，36ｂ，36ｃが形成された３個のコア部材32ａ，32ｂ，32ｃを連結して構成した板状コア34に、複数の上記貫通孔36ａ，36ｂ，36ｃを挟んで平行配置された複数の巻線部（第１の巻線部37乃至第４の巻線部40）を形成すると共に、導線14，16を、上記貫通孔36ａ，36ｂ，36ｃに通すことにより、隣り合う巻線部（第１の巻線部37と第２の巻線部38、第２の巻線部38と第３の巻線部39、第３の巻線部39と第４の巻線部40）の表面及び裏面を交互に沿うよう巻き付けて構成したので、従来の巻線型コイル部品60の如く導線を３６０度のターンで巻回する必要がなく、薄型の巻線型コイル部品を実現することができる。
【００１６】
しかも、第１の巻線型コイル部品30は、貫通孔36ａ，36ｂ，36ｃが形成された複数のコア部材32ａ，32ｂ，32ｃを連結して板状コア34を構成するようにしたので、連結するコア部材の数を増やすことにより、薄型でありながら大きなインダクタンスを得ることができる。
【００１７】
図６乃至図８は、本発明に係る第２の巻線型コイル部品41を示すものである。尚、上記第１の巻線型コイル部品30と同一部材には同一番号を付す。
第２の巻線型コイル部品41は、フェライト等の磁性材料より成る長方形の厚さ数mm程度の薄い板状コア42を有しており、該板状コア42には、略長方形と成された５個の貫通孔43ａ，43ｂ，43ｃ，43ｄ，43ｅが等間隔で平行に形成されている。
図６及び図８に示されるように、板状コア42の左端から右端に向かって、上記貫通孔43ａ，43ｂ，43ｃ，43ｄ，43ｅを挟んで、第１の巻線部44、第２の巻線部45、第３の巻線部46、第４の巻線部47、第５の巻線部48、第６の巻線部49が平行配置されている。
【００１８】
図６及び図７に示すように、一対の導線14，16は、先ず、第１の巻線部44の表面を沿った後、貫通孔43ａを通って第２の巻線部45の裏面を沿い、次に、貫通孔43ｂを通って第３の巻線部46の表面を沿った後、貫通孔43ｃを通って第４の巻線部47の裏面を沿い、さらに、貫通孔43ｄを通って第５の巻線部48の表面を沿った後、貫通孔43ｅを通って第６の巻線部49の裏面を沿い、その後、折り返される。そして、第６の巻線部49の表面を沿った後、貫通孔43ｅを通って第５の巻線部48の裏面を沿い、次に、貫通孔43ｄを通って第４の巻線部47の表面を沿った後、貫通孔43ｃを通って第３の巻線部46の裏面を沿い、次に、貫通孔43ｂを通って第２の巻線部45の表面を沿った後、貫通孔43ａを通って第１の巻線部44の裏面を沿い、その後、折り返されて、再び第１の巻線部44の表面を沿うように巻き付けられている。以降、斯かる巻き付け方法を所定回数繰り返して第２の巻線型コイル部品41が完成する。
要するに、上記導線14，16は、上記貫通孔43ａ，43ｂ，43ｃ，43ｄ，43ｅを通すことにより、隣り合う巻線部（第１の巻線部44と第２の巻線部45、第２の巻線部45と第３の巻線部46、第３の巻線部46と第４の巻線部47、第４の巻線部47と第５の巻線部48、第５の巻線部48と第６の巻線部49）の表面及び裏面を交互に沿うように巻き付けられているものである。
【００１９】
図６乃至図８においては、板状コア42に５個の貫通孔43ａ，43ｂ，43ｃ，43ｄ，43ｅを設けることにより、６個の巻線部44，45，46，47，48，49を形成した場合を例示したが、これに限定されるものではなく、２個以上の貫通孔を設けることにより３個以上の巻線部を形成すれば良い。
【００２０】
而して、本発明に係る第２の巻線型コイル部品41は、複数の貫通孔43ａ，43ｂ，43ｃ，43ｄ，43ｅを設けた板状コア42に、上記貫通孔43ａ，43ｂ，43ｃ，43ｄ，43ｅを挟んで平行配置された複数の巻線部（第１の巻線部44乃至第６の巻線部49）を形成すると共に、導線14，16を、上記貫通孔43ａ，43ｂ，43ｃ，43ｄ，43ｅに通すことにより、隣り合う巻線部（第１の巻線部44と第２の巻線部45、第２の巻線部45と第３の巻線部46、第３の巻線部46と第４の巻線部47、第４の巻線部47と第５の巻線部48、第５の巻線部48と第６の巻線部49）の表面及び裏面を交互に沿うよう巻き付けて構成したので、従来の巻線型コイル部品60の如く導線を３６０度のターンで巻回する必要がなく、薄型の巻線型コイル部品を実現することができる。
【００２１】
しかも、第２の巻線型コイル部品41は、板状コア42に形成する貫通孔の数を増やすことにより、貫通孔を挟んで形成される巻線部の数も増やすことができるため、薄型でありながら大きなインダクタンスを得ることができる。
【図面の簡単な説明】
【００２２】
【図１】本発明に係る第１の巻線型コイル部品を示す平面図である。
【図２】本発明に係る第１の巻線型コイル部品を示す正面図である。
【図３】第１の巻線型コイル部品の板状コアを示す平面図である。
【図４】第１の巻線型コイル部品のコア部材を示す拡大平面図である。
【図５】図４のＡ−Ａ断面図である。
【図６】本発明に係る第２の巻線型コイル部品を示す平面図である。
【図７】本発明に係る第２の巻線型コイル部品を示す正面図である。
【図８】第２の巻線型コイル部品の板状コアを示す平面図である。
【図９】従来の巻線型コイル部品を示す平面図である。
【図１０】従来の巻線型コイル部品を示す正面図である。
【符号の説明】
【００２３】
14    導線
16    導線
30    第１の巻線型コイル部品
32ａ  第１の巻線型コイル部品のコア部材
32ｂ  第１の巻線型コイル部品のコア部材
32ｃ  第１の巻線型コイル部品のコア部材
34    第１の巻線型コイル部品の板状コア
36ａ  第１の巻線型コイル部品の貫通孔
36ｂ  第１の巻線型コイル部品の貫通孔
36ｃ  第１の巻線型コイル部品の貫通孔
37    第１の巻線型コイル部品の第１の巻線部
38    第１の巻線型コイル部品の第２の巻線部
39    第１の巻線型コイル部品の第３の巻線部
40    第１の巻線型コイル部品の第４の巻線部
41    第２の巻線型コイル部品
42    第２の巻線型コイル部品の板状コア
43ａ  第２の巻線型コイル部品の貫通孔
43ｂ  第２の巻線型コイル部品の貫通孔
43ｃ  第２の巻線型コイル部品の貫通孔
43ｄ  第２の巻線型コイル部品の貫通孔
43ｅ  第２の巻線型コイル部品の貫通孔
44    第２の巻線型コイル部品の第１の巻線部
45    第２の巻線型コイル部品の第２の巻線部
46    第２の巻線型コイル部品の第３の巻線部
47    第２の巻線型コイル部品の第４の巻線部
48    第２の巻線型コイル部品の第５の巻線部
49    第２の巻線型コイル部品の第６の巻線部
【図１】
2009259902.tif 000003
【図２】
2009259902.tif 000004
【図３】
2009259902.tif 000005
【図４】
2009259902.tif 000006
【図５】
2009259902.tif 000007
【図６】
2009259902.tif 000008
【図７】
2009259902.tif 000009
【図８】
2009259902.tif 000010
【図９】
2009259902.tif 000011
【図１０】
2009259902.tif 000012